(57)【要約】【課題】棒状部材を一方の取付孔から他方の取付孔へ挿通させるためのガイドシステムを提供すること。【解決手段】ガイドシステムは、棒状部材７を挿着するための第１取付孔３及び第２取付孔６と、第１取付孔３から挿入された棒状部材７の先端を第２取付孔６に誘導するための第１ガイド４及び第２ガイド５と、を備える。第１ガイド４の第１取付孔３方向に面する第１面４ａ及び第２ガイド５の第１取付孔３方向に面する第２面５ａは、第１取付孔３から第２取付孔５に向かって棒状部材７に近づくように棒状部材７に対して傾斜している。【選択図】図３
2010101049.tif 000002
【特許請求の範囲】
【請求項１】
棒状部材を挿着するための第１取付孔及び第２取付孔と、
前記第１取付孔から挿入された前記棒状部材の先端を前記第２取付孔に誘導するための第１ガイド及び第２ガイドと、を備え、
前記第１ガイドの前記第１取付孔方向に面する第１面及び前記第２ガイドの前記第１取付孔方向に面する第２面は、前記第１取付孔から前記第２取付孔に向かって前記棒状部材に近づくように前記棒状部材に対して傾斜していることを特徴とするガイドシステム。
【請求項２】
前記第１ガイドは、前記第２ガイドよりも前記第１取付孔側に配され、
前記第２ガイドの前記第２面は、前記第２取付孔の内面と連続していることを特徴とする請求項１に記載のガイドシステム。
【請求項３】
前記第１取付孔及び前記第２取付孔を通る断面において、
前記第１ガイドの前記第１面の両端点を結ぶ線は、前記第１取付孔の内面の両端点のうち前記第２取付孔側の端点と、前記第２取付孔の前記第２面の両端点のうち前記第１取付孔側の端点とを結ぶ線と交差することを特徴とする請求項１又は２に記載のガイドシステム。
【請求項４】
前記第１取付孔及び前記第２取付孔を通る断面において、
前記第１ガイドの前記第１面の両端点を結ぶ線は、前記棒状部材が、前記棒状部材の先端が前記第２取付孔から最も離れるように挿入された場合の前記棒状部材の仮想上の外径線のうち前記第２取付孔から離れているほうの外形線と交差することを特徴とする請求項１〜３のいずれか一項に記載のガイドシステム。
【請求項５】
前記第１取付孔及び前記第２取付孔を通る断面において、
前記第１取付孔の内面の両端点のうち前記第２取付孔側の端点、
前記第１ガイドの前記第１面の両端点を結ぶ線と、前記棒状部材が、前記棒状部材の先端が前記第２取付孔から最も離れるように挿入された場合の前記棒状部材の仮想上の外径線のうち前記第２取付孔から離れているほうの外形線との交点、及び
前記第１ガイドの前記第１面の両端点のうち前記第１取付孔側の端点
を結ぶ線によって形成される角は、鋭角であることを特徴とする請求項１〜４のいずれか一項に記載のガイドシステム。
【請求項６】
前記第１ガイドは、前記棒状部材を挟むように前記棒状部材の両側に配されていることを特徴とする請求項１〜５のいずれか一項に記載のガイドシステム。
【請求項７】
前記第１取付孔及び前記第２取付孔を通る断面において、
前記第１ガイドの前記第１面の両端点を結ぶ長さは、前記棒状部材の短手方向の長さよりも長いことを特徴とする請求項１〜６のいずれか一項に記載のガイドシステム。
【発明の詳細な説明】
【技術分野】
【０００１】
本発明は、ガイドシステムに関し、例えば、棒状の部材を一方の取付孔から他方の取付孔へ挿通させるためのガイドシステムに関する。
【背景技術】
【０００２】
例えば、特許文献１に記載の温水供給装置は、保温タンクを横断するように挿着されたヒータを有する。
【０００３】
また、特許文献２に記載の圧縮機組付時のボルトガイド構造は、気体を圧縮する圧縮手段を収納したケーシングと、被組付体に組み付けるためにケーシングの外周面に設けられた取付部とを有し、この取付部は、ケーシングの外周面に突出形成された突出部分及びこの突出部分に形成されたボルト挿入用の連通孔を有して構成され、この挿通孔は複数に分断されていると共に、分断された連通孔のうち一方の連通孔の開口周縁部位には、他方の挿入孔から挿通されてきたボルトの先端部を当該連通孔の開口まで案内するガイド部材を有する。
【０００４】
【特許文献１】特開２００１−３３６２０４号公報
【特許文献２】特開２００６−２３１９９３号公報
【発明の開示】
【発明が解決しようとする課題】
【０００５】
以下の分析は、本発明の観点から与えられる。
【０００６】
特許文献１に記載の温水供給装置において、ヒータを保温タンクに取り付ける場合、ヒータを他方の取付孔から挿入し、一方の取付孔に通すことになる。このとき、他方の取付孔にヒータを挿入した状態で、ヒータの先端で一方の取付孔を手探りで探す必要がある。しかしながら、特許文献１に記載の温水供給装置において、ヒータの先端を他方の取付孔から一方の取付孔へ直線的に導いて挿通させることは困難であり、ヒータの取り付けに時間を要することになる。
【０００７】
特許文献２に記載の圧縮機組付時のボルトガイド構造においても、ボルトの先端がガイド部材の内側に入るように、他方の挿入孔にボルトを挿入した状態でガイド部材によって形成された開口を手探りで探す必要がある。したがって、上述の課題と同様にしてボルトの取り付けに時間を要することになる。
【０００８】
本発明の目的は、棒状部材を一方の取付孔から他方の取付孔へ挿通させるためのガイドシステムを提供することである。
【課題を解決するための手段】
【０００９】
本発明の第１視点によれば、ガイドシステムは、棒状部材を挿着するための第１取付孔及び第２取付孔と、第１取付孔から挿入された棒状部材の先端を第２取付孔に誘導するための第１ガイド及び第２ガイドと、を備える。第１ガイドの第１取付孔方向に面する第１面及び第２ガイドの第１取付孔方向に面する第２面は、第１取付孔から第２取付孔に向かって棒状部材に近づくように棒状部材に対して傾斜している。
【００１０】
上記第１視点の好ましい形態によれば、第１ガイドは、第２ガイドよりも第１取付孔側に配される。第２ガイドの第２面は、第２取付孔の内面と連続している。
【００１１】
上記第１視点の好ましい形態によれば、第１取付孔及び第２取付孔を通る断面において、第１ガイドの第１面の両端点を結ぶ線は、第１取付孔の内面の両端点のうち第２取付孔側の端点と、第２取付孔の第２面の両端点のうち第１取付孔側の端点とを結ぶ線と交差する。
【００１２】
上記第１視点の好ましい形態によれば、第１取付孔及び第２取付孔を通る断面において、第１ガイドの第１面の両端点を結ぶ線は、棒状部材が、棒状部材の先端が第２取付孔から最も離れるように挿入された場合の棒状部材の仮想上の外径線のうち第２取付孔から離れているほうの外形線と交差する。
【００１３】
上記第１視点の好ましい形態によれば、第１取付孔及び第２取付孔を通る断面において、第１取付孔の内面の両端点のうち第２取付孔側の端点、第１ガイドの第１面の両端点を結ぶ線と、棒状部材が、棒状部材の先端が第２取付孔から最も離れるように挿入された場合の棒状部材の仮想上の外径線のうち第２取付孔から離れているほうの外形線との交点、及び第１ガイドの第１面の両端点のうち第１取付孔側の端点を結ぶ線によって形成される角は、鋭角である。
【００１４】
上記第１視点の好ましい形態によれば、第１ガイドは、棒状部材を挟むように棒状部材の両側に配されている。
【００１５】
上記第１視点の好ましい形態によれば、第１取付孔及び第２取付孔を通る断面において、第１ガイドの第１面の両端点を結ぶ長さは、棒状部材の短手方向の長さよりも長い。
【発明の効果】
【００１６】
本発明によれば、第１取付孔から挿入した棒状部材を第１ガイド及び第２ガイドによって第２取付孔にスムーズに誘導することができる。
【発明を実施するための最良の形態】
【００１７】
本発明のガイドシステムについて、温水タンクに温水ヒータを取り付けるためのガイドシステムを例にして説明する。このとき、本発明のガイドシステムにおける棒状部材として棒状の温水ヒータが使用される。図１及び図２に、本発明のガイドシステムの概略斜視図を示す。図１は、温水タンク１のケーシング２内面側におけるヒータ（棒状部材）７を取り付けた状態の概略斜視図であり、図２は、温水タンク１のケーシング２内面側におけるヒータ７を取り外した状態の概略斜視図である。また、図３に、図１に示すガイドシステムの概略断面図を示す。
【００１８】
本発明のガイドシステムは、温水タンク１のケーシング２に形成されている。ケーシング２は、棒状のヒータ７をケーシング２に取り付けるための第１取付孔３及び第２取付孔６を有する。第１取付孔３は、ヒータ７をケーシング２の外側から挿入するための取付孔であり、第２取付孔６は、第１取付孔３から挿入されたヒータ７をケーシング２の内側から挿入するための取付孔である。
【００１９】
また、ケーシング２は、その内面に、ヒータ７の取付時にヒータ７を第１取付孔３から第２取付孔６へ誘導するための第１ガイド４及び第２ガイド５をさらに有する。
【００２０】
図４に、第１ガイドの拡大概略斜視図を示す。第１ガイド４は、第２ガイド５よりも第１取付孔３よりに形成されている。好ましくは、第１ガイド４は、ヒータ７を挟むように、ヒータ７の両側に形成される。例えば、第１ガイド４は、図１〜図４に示すような対向する２つのリブとして形成することができる。第１ガイド４の第１取付孔３方向に面する第１面（図４においてはヒータ７に面する面）４ａは、第１取付孔３から第２取付孔６に向かって、第１ガイド４がヒータ７に近づくようにヒータ７に対して傾斜している。すなわち、対向する２つの第１ガイド４は、第１取付孔３から第２取付孔６に向かって、２つの第１ガイド４間の間隔を狭めるように形成されている。
【００２１】
第２ガイド５は、第１ガイド４よりも第２取付孔６よりに形成されている。第２ガイド５の第１取付孔３方向に面する第２面（図４においてはヒータ７に面する面）５ａは、第１取付孔３から第２取付孔６に向かって、第２ガイド５がヒータ７に近づくようにヒータ７に対して傾斜している。第２ガイド５は、第１ガイド４のようにヒータ７の両側に形成される２つのリブとして形成することもできるが、好ましくは、少なくとも一部が漏斗状（又は円錐もしくは多角錘の側面のような形状）であり、より好ましくは、第２取付孔６の内面と第２ガイド５の第２面５ａとが連続するように第２取付孔６に連設される。
【００２２】
次に、本発明のガイドシステムの好ましい条件について説明する。図５〜図７に、本発明のガイドシステムの好ましい条件を説明するための模式図を示す。図５は、第１取付孔３及び第２取付孔６にヒータ７を挿通した状態の第１取付孔３及び第２取付孔６を通る断面を示す。図６は、ヒータ７の先端が第２取付孔６から最も離れるようにヒータ７を挿入した場合の第１取付孔３及び第２取付孔６を通る断面であり、図６に示すヒータ７は、このときの仮想上の位置を示す。図５〜図７において、点Ａは、第１取付孔３の内面の両端点のうち第２取付孔６側の端点である。点Ｂ及び点Ｃは、第２ガイド５の第２面５ａの両端点である。点Ｂは第２取付孔６側の端点（第２取付孔６の内面の両端点のうち第１取付孔３側の端点）であり、点Ｃは第１取付孔３側の端点である。点Ｄは、ヒータ７の先端が第２取付孔６から最も離れるようにヒータ７を挿入した場合のヒータ７の仮想上の外形線のうち第２取付孔６から離れている方の外形線とケーシング２との交点である。点Ｘ及び点Ｙは、第１ガイド４の第１面４ａの両端点である。点Ｘは第２取付孔６側の端点であり、点Ｙは第１取付孔３側の端点である。点Ｚは、第１ガイド４の第１面４ａ（線ＸＹ）とヒータ７の外形線（図７においては線ＡＤ）との交点である。
【００２３】
本発明のガイドシステムにおいて、線ＸＹは、線ＡＣと交差すると好ましい。より好ましくは、点Ｘは、点Ａ、点Ｂ及び点Ｃによって形成される領域αに存在すると好ましい。すなわち、∠ＸＡＢ（角θ１）は∠ＣＡＢ（角Θ１）以下であると好ましい（数１参照）。これにより、ヒータ７の挿入時にヒータ７が第１ガイド４に接触しても、第１ガイド４によって、ヒータ７の先端を第２取付孔６に、又は少なくとも第２ガイド５の第２面５ａに誘導することができる。
【００２４】
【数１】
2010101049.tif 000003
【００２５】
また、より好ましくは、ヒータ７と第１ガイド４との間に隙間を確保するように、第１ガイド４と線ＡＢとは交差しないようにすると好ましい。これにより、ヒータ７の作動時に、ヒータ７の熱による第１ガイド４への影響を小さくすることができる。
【００２６】
本発明のガイドシステムにおいて、線ＸＹは、線ＡＤと交差すると好ましい。すなわち、点Ｙは、線ＡＤ（ヒータ７の外形線）とケーシング２の内面によって形成される領域β内に存在すると好ましい。すなわち、∠ＹＡＢ（角θ２）は∠ＤＡＢ（角Θ２）以上であると好ましい（数２参照）。これにより、ヒータ７の先端が第２取付孔６から最も離れるようにヒータ７が挿入された場合であっても、第１ガイド４によって、ヒータ７の先端を第２取付孔６に、又は少なくとも第２ガイド５の第２面５ａに誘導することができる。
【００２７】
なお、通常、ヒータ７の先端が第２取付孔６から最も離れるようにヒータ７が挿入される時の角Θ２は、第１取付孔３におけるケーシング２の厚さｔ、ヒータ７の短手方向の長さ（ヒータ７の太さ、幅ないし径）ｗ、及び第１取付孔３の開口の大きさ（円形の場合は直径）ｄに依存すると考えられる。このとき、角Θ２は、数３のように表記できる。
【００２８】
【数２】
2010101049.tif 000004
【００２９】
【数３】
2010101049.tif 000005
【００３０】
本発明のガイドシステムにおいて、第１ガイド４の第１面４ａのヒータ７あるいは線ＡＢに対する傾斜角は、ヒータ７と第１ガイド４の第１面４ａとが接触したときに、∠ＡＺＹ（角θ３）が鋭角になると好ましい。特に、角θ３が最も大きくなるとき、すなわち、ヒータ７の先端が第２取付孔６から最も離れるようにヒータ７が挿入されたときに、角θ３が鋭角になると好ましい（数４参照）。角θ３が９０°以上であると、ヒータ７と第１ガイド４の第１面４ａが接触した際に、ヒータ７の先端が点Ｘ側に誘導されず、点Ｙ側に誘導されてしまうからである。
【００３１】
【数４】
2010101049.tif 000006
【００３２】
本発明のガイドシステムにおいて、第１ガイド４の第１面４ａの長さ（線ＸＹの長さ）ｌは、ヒータ７の短手方向の長さ（ヒータ７の太さ、幅ないし径）ｗ以上であると好ましい（数５参照）。これにより、ヒータ７が第１ガイド４と接触した際に、第１ガイド４はガイドとして有効に作用することができる。
【００３３】
【数５】
2010101049.tif 000007
【００３４】
次に、本発明のガイドシステムの作用について説明する。図８〜図１０に、温水タンクにヒータを挿入する際の温水タンクの概略斜視図を示す。
【００３５】
まず、ヒータ７の先端を第１取付孔３に挿入する（図８）。ヒータ７の先端を第１取付孔３から第２取付孔６に向けて進めても、第１取付孔３とヒータ７との間に間隙があるため、ヒータ７の先端が第１取付孔３と第２取付孔６とを結ぶ軌道から外れてしまうことがある。その場合であっても、本発明のガイドシステムによれば、ヒータ７の先端は第１ガイド４の第１面４ａと接触し、第１面４ａの傾斜によってヒータ７の先端を、第１取付孔３と第２ガイド５とを結ぶ軌道に戻すことができる（図９）。また、ヒータ７の先端が第１ガイド４を通過した後に、ヒータ７の挿入角がぶれることがあっても、第１ガイド４とヒータ７の側面とが接触するので、ヒータ７の先端が第１取付孔３と第２ガイド５とを結ぶ軌道から外れることを防止することができる。ヒータ７の先端を第２取付孔６に挿入する際には、ヒータ７の先端が第１取付孔３と第２取付孔６とを結ぶ軌道から外れてしまっていても、第２ガイド５の第２面５ａによってヒータ７の先端を第２取付孔６に誘導することができる（図１０）。これにより、ヒータ７を温水タンク１に取り付けることができる（図１）。
【００３６】
本発明のガイドシステムは、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００３７】
本発明のさらなる課題、目的及び展開形態は、請求の範囲を含む本発明の全開示事項からも明らかにされる。
【産業上の利用可能性】
【００３８】
上記実施形態においては、棒状部材としてヒータを用いて本発明を説明しているが、本発明は、ヒータ以外の棒状部材を使用可能であることはいうまでもない。
【図面の簡単な説明】
【００３９】
【図１】本発明のガイドシステムの概略斜視図。
【図２】本発明のガイドシステムの概略斜視図。
【図３】図１に示すガイドシステムの概略断面図。
【図４】第１ガイドの拡大概略斜視図。
【図５】本発明のガイドシステムの好ましい条件を説明するための模式図。
【図６】本発明のガイドシステムの好ましい条件を説明するための模式図。
【図７】本発明のガイドシステムの好ましい条件を説明するための模式図。
【図８】温水タンクにヒータを挿入する際の温水タンクの概略斜視図。
【図９】温水タンクにヒータを挿入する際の温水タンクの概略斜視図。
【図１０】温水タンクにヒータを挿入する際の温水タンクの概略斜視図。
【符号の説明】
【００４０】
１        温水タンク
２        ケーシング
３        第１取付孔
４        第１ガイド
４ａ      第１面
５        第２ガイド
５ａ      第２面
６        第２取付孔
７        ヒータ（棒状部材）
【図３】
2010101049.tif 000008
【図５】
2010101049.tif 000009
【図６】
2010101049.tif 000010
【図７】
2010101049.tif 000011
【図１】
2010101049.tif 000012
【図２】
2010101049.tif 000013
【図４】
2010101049.tif 000014
【図８】
2010101049.tif 000015
【図９】
2010101049.tif 000016
【図１０】
2010101049.tif 000017